(57)【特許請求の範囲】
【請求項１】
地盤改良工事に伴い地中から排出される泥土を貯留するための排泥ピットであって、
箱状の本体部と、地盤改良機のロッドを挿通すると共に地盤から噴出する泥土を通過させるための挿通孔と、挿通孔から下方へ向かって突出した突出管と、泥土を排出するための掃出口と、を備え、
前記挿通孔は、本体部の下面に開設され、
前記突出管は、地盤中へ挿入される口元管の内部に挿通可能な外径を有し、
前記掃出口は、本体部の側面に設けられて、泥土を貯留する状態では閉塞されると共に、泥土を排出する状態では開放される、
ことを特徴とする排泥ピット。
【請求項２】
前記掃出口に、掃出口を開閉するためのシャッター部材を取り付けたことを特徴とする請求項１に記載の排泥ピット。
【発明の詳細な説明】
【技術分野】
【０００１】
本発明は、地盤改良工事に伴い地中から排出される泥土を貯留するための排泥ピットに関するものである。
【背景技術】
【０００２】
従来、地盤改良工事では、改良対象となる地盤の地表面を掘削して排泥ピットを形成していた（特許文献１参照）。特許文献１に記載された地盤改良工法は、地盤中に固化材を注入して地盤改良工事や改善工事を行うための工法であり、改良対象となる地盤表面を掘削して排泥ピットを形成し、この排泥ピットを介して削孔を掘削切削する。そして、削孔にロッドを挿入し、ロッドの先端から固化材、高圧水、圧縮空気等を噴出させる。これに伴い、地盤中の排泥が削孔を介して地表へ噴出し、排泥ピット内へ溜まるようになっている。
【０００３】
【特許文献１】特開２００１−１１５４４１号公報
【発明の開示】
【発明が解決しようとする課題】
【０００４】
ところで、既に供用されている道路等において地盤改良工事を行う際には、地表面を掘削して排泥ピットを形成することができない場合がある。すなわち、既に供用されている道路等の地表面を掘削した場合には、地盤改良工事を行った後に掘削箇所を埋め戻す必要があり、迅速な工事を行うという要請に応えることができない。このため、排泥ピットを用いずに、地中から排出される泥土を処理しなければならず、工事箇所が泥土で汚れてしまう等、種々の不都合があった。
【０００５】
本発明は、上述した事情に鑑み提案されたもので、地中から泥土が排出されるような地盤改良工事において、地表面を掘削することなく排泥ピットを形成することにより、手間と費用を低減して迅速な工事を行うと共に、工事箇所が泥土で汚れる等の不都合を解消することが可能な排泥ピットを提供することを目的とする。
【課題を解決するための手段】
【０００６】
本発明の排泥ピットは、上述した目的を達成するため、以下の特徴点を有している。すなわち、本発明の排泥ピットは、地盤改良工事に伴い地中から排出される泥土を貯留するための排泥ピットであって、箱状の本体部と、地盤改良機のロッドを挿通すると共に地盤から噴出する泥土を通過させるための挿通孔と、挿通孔から下方へ向かって突出した突出管と、泥土を排出するための掃出口と、を備えている。
【０００７】
そして、挿通孔は、本体部の下面に開設され、突出管は、地盤中へ挿入される口元管の内部に挿通可能な外径を有し、掃出口は、本体部の側面に設けられて、泥土を貯留する状態では掃出口が閉塞されると共に、泥土を排出する状態では掃出口が開放される、ことを特徴とするものである。
【０００８】
また、掃出口に、掃出口を開閉するためのシャッター部材を取り付けることが好ましい。
【発明の効果】
【０００９】
本発明の排泥ピットは、工事対象となる地盤の地表面に箱状の本体部を設置し、挿通孔を介して地盤中から吹き出す泥土を本体部に貯留する。そして、本体部に泥土が溜まったら、掃出口を閉塞しているシャッター部材を動作させて掃出口を開放し、本体部から泥土を掃き出す。
【００１０】
したがって、既に供用されている道路等のように地表面を掘削することが好ましくない場合であっても、地表面を掘削することなく排泥ピットを形成することができる。このため、工事に要する手間と費用を低減して迅速な工事を行うことができると共に、工事箇所が泥土で汚れる等の不都合を解消することが可能となる。
【発明を実施するための最良の形態】
【００１１】
＜排泥ピット＞
以下、図面を参照して、本発明の排泥ピットの実施形態を説明する。
図１及び図２は、本発明の実施形態に係る排泥ピットを示すもので、図１は排泥ピットの斜視図、図２（ａ）は排泥ピットの平面図、図２（ｂ）は排泥ピットの正面図、図２（ｃ）は排泥ピットの右側面図である。
【００１２】
本発明の実施形態に係る排泥ピット１０は、地中から泥土が排出される地盤改良工事において、地中から排出される泥土を貯留するために使用されるものである。この排泥ピット１０は、図１及び図２に示すように、箱状の本体部２０と、地盤改良機の下方に対向する対向部３０と、地盤改良機のロッド（例えば多孔管）を挿通すると共に地盤から噴出する泥土を通過させるための挿通孔４０と、挿通孔４０から下方へ向かって突出した突出管５０と、泥土を排出するための掃出口６０と、を備えている。
【００１３】
本体部２０は、上面が開放した箱状の部材で、例えば鋼板により形成されており、内部には本体部２０を補強するための補強部材７０が取り付けられている。この補強部材７０は、例えばＨ型鋼等からなる。本体部２０の上部の四隅には、排泥ピット１０を吊り上げる際に使用する係止部８０が設けられている。この係止部８０は、工事対象箇所に排泥ピット１０を設置したり、工事対象箇所から排泥ピット１０を移動させたりする際に、吊り下げ用の鋼製ワイヤー等を取り付けるために使用される。
【００１４】
対向部３０は、本体部２０の上面に設けられており、地盤改良機の下方に対向するようになっている。本実施形態では、挿通孔４０を開設した部分の上方のみを対向部３０として地盤改良機の下方に対向させ、掃出口６０を設けた側の本体部２０の上面は開放状態となっている。なお、本体部２０に対する対向部３０の位置や大きさは、地盤改良機の形状、大きさ等に応じて適宜変更することができる。
【００１５】
挿通孔４０は、本体部２０の下面に開設されており、この挿通孔４０から下方へ向かって円筒状の突出管５０が設けられている。突出管５０は、地盤中へ挿入される口元管９０の内部に挿通可能な外径を有しており、地盤中に埋設される口元管９０内に挿し込まれる。具体的には、例えば３００ｍｍ程度の内径を有する口元管９０を使用する場合には、２５５ｍｍ程度の外形を有する突出管５０を用いることになる。なお、挿通孔４０と口元管９０の上部との間には、スポンジゴム等からなるパッキング（図示せず）を取り付け、挿通孔４０と口元管９０との隙間を塞ぐことが好ましい。
【００１６】
掃出口６０は、本体部２０の側面に設けられており、泥土を貯留する状態では掃出口６０が閉塞されると共に、泥土を排出する状態では掃出口６０が開放されるようになっている。また、掃出口６０には、本体部２０の外方へ向かって突出した受け部材１００が設けられている。この受け部材１００は、掃出口６０から泥土を掃き出す際に、本体部２０の周辺に泥土がこぼれることを防止するための部材である。
【００１７】
本実施形態では、掃出口６０に、掃出口６０を開閉するためのシャッター板１１０を取り付けている。このシャッター板１１０により、掃出口６０を開放状態又は閉塞状態とすることができる。
シャッター板１１０は、例えば、鋼板からなり、上部に操作取っ手１１１が取り付けられている。本体部２０の内面であって掃出口６０の周囲には、シャッター板１１０を上下にスライド可能に支持するためのスライド支持部材１２０が設けられている。シャッター板１１０により掃出口６０を閉塞するには、スライド支持部材１２０の上部からシャッター板１１０を下方に向かってスライドさせればよい。一方、掃出口６０を開放するには、シャッター板１１０の操作取っ手１１１を持って、スライド支持部材１２０の上部へ向かってシャッター板１１０を引き上げればよい。
なお、シャッター板１１０及びスライド支持部材１２０が、シャッター部材として機能する。
【００１８】
＜地盤改良機＞
本発明で用いる地盤改良機は、どのような構造であってもよいが、例えば、工事対象地盤に削孔した後、噴射ロッドを挿入し、噴射ロッドを前進後退移動させつつ高圧ジェット噴射により硬化材を周囲地盤に対して噴射し、円柱状の改良体を造成するような装置を用いることができる。この地盤改良機は、工事現場や工事対象となる地盤の状況に応じて、適切なものが使用される。
【００１９】
＜排泥ピットを用いた地盤改良工事＞
次に、本発明の実施形態に係る排泥ピットを用いた地盤改良工事について説明する。図３は本発明の実施形態に係る排泥ピットを工事対象箇所に取り付けた状態を示す模式図、図４は地盤改良工事終了後の復旧イメージを示す模式図である。
【００２０】
本発明の実施形態に係る排泥ピット１０を用いて地盤改良工事を行うには、まず、工事対象となる地盤２００中に口元管９０を埋め込み、地表面に若干突出した口元管９０の上部の周辺をコーキング材によりコーキングする。なお、必要に応じて、工事対象箇所に鋼矢板２１０を施工する等の事前工事を行う。
【００２１】
続いて、排泥ピット１０を設置する地表面に防水シート２２０を敷き詰めて、２次ピットを設置する。この際、口元管９０の上部は、２次ピットから上方へ向かって突出した状態となっている。なお、２次ピットを複数の口元管９０に共通して設けることにより、工事の効率化を図ることができる。
【００２２】
続いて、口元管９０内に突出管５０が位置するようにして、工事対象箇所に排泥ピット１０を設置し、対向部３０の上方に地盤改良機２３０を対向させる。この際、排泥ピット１０の周囲の適宜箇所に土台２４０となるＨ型鋼等を設置し、この土台２４０により地盤改良機２３０を下方から支持する。
【００２３】
排泥ピット１０の設置が完了すると、地盤改良機２３０の多孔管２３１を地盤２００中に挿入して、地中に改良材等を注入することにより地盤改良工事を行う。この際、地中から排出される泥土２５０は、口元管９０を介して排泥ピット１０内に貯留される。排泥ピット１０内にはサンドポンプ２６０が設置されており、このサンドポンプ２６０により流動性の泥土２５０が排泥ピット１０の外に排出される。また、サンドポンプ２６０で排出することができなかった泥土２５０は、シャッター板１１０を引き上げて開放された掃出口６０から掃き出される。
【００２４】
１箇所の地盤改良が終了すると、図４に示すように、改良体３００の上部に残された空隙と口元管９０内にコンクリート等の充填材３１０を充填する。さらに、口元管９０の上部を撤去して、地表部分にアスファルト３２０を充填して舗装盤を修復する。
【００２５】
＜他の実施形態＞
本発明の排泥ピット１０は、図示したものに限定されず、本体部２０、対向部３０、挿通孔４０、突出管５０、掃出口６０の大きさ、形状、位置等は、工事対象となる現場や地盤改良工法の相違に応じて適宜変更して実施することができる。
【図面の簡単な説明】
【００２６】
【図１】本発明の実施形態に係る排泥ピットの斜視図。
【図２】本発明の実施形態に係る排泥ピットの平面図（ａ）、正面図（ｂ）、右側面図（ｃ）。
【図３】本発明の実施形態に係る排泥ピットを工事対象箇所に取り付けた状態を示す模式図。
【図４】地盤改良工事終了後の復旧イメージを示す模式図。
【符号の説明】
【００２７】
１０  排泥ピット
２０  本体部
３０  対向部
４０  挿通孔
５０  突出管
６０  掃出口
７０  補強部材
８０  係止部
９０  口元管
１００  受け部材
１１０  シャッター板
１１１  操作取っ手
１２０  スライド支持部材
２００  地盤
２１０  鋼矢板
２２０  防水シート
２３０  地盤改良機
２３１  多孔管
２４０  土台
２５０  泥土
２６０  サンドポンプ
３００  改良体
３１０  充填材
３２０  アスファルト
【図１】
0004905987.tif 000002
【図２】
0004905987.tif 000003
【図３】
0004905987.tif 000004
【図４】
0004905987.tif 000005